(57)【要約】  本発明は、建築工事で外壁又は内壁を飾るためのブロック及び組積工事の施工方法に関するものであって、建築物の堰とスラブ及び柱と一体をなし、骨組みの役割を果たすフレームを固定して装着し、装着されたフレームの内面に二等辺三角形の形状のくさび型凹溝又は凹突起を設け、フレームに二等辺三角形の形状のくさび型凹溝又は凹突起が設けられたブロックと中間ブロックを組積することによって、水平方向の振動に弱い組積工事の短所を改善して耐震性能を向上させ、外部衝撃によってブロック間又はブロックとフレーム間にズレが発生してもブロックが元の位置に復旧されることができるようにするくさび型結合部が形成されたブロックとフレームを用いた壁体構造及びこれを用いた壁体の施工方法に関するものである。
2021502501.tif 000002
【特許請求の範囲】
【請求項１】
先施工された建物の堰とスラブ及び柱にブロックを積み重ねて壁体を施工する組積工事において、
堰の表面に装着され、下部面の全面に亘って二等辺三角形の形状のくさび型凹溝（１０１）が設けられ、くさび型凹溝（１０１）の角が堰の長手方向と平行をなす上部フレーム（１００）と、
スラブの表面に装着され、上部面の全面に亘って二等辺三角形の形状のくさび型突起（２０１）が設けられ、くさび型突起（２０１）の角がスラブの長手方向と平行をなす下部フレーム（２００）と、
前記上部フレーム（１００）及び下部フレーム（２００）の末端と連結されるように柱の外側又は内側の表面に装着され、内側面の全面に亘って二等辺三角形の形状のくさび型突起（３０１）が設けられ、くさび型突起（３０１）の角が柱の高さ方向と平行をなす垂直フレーム（３００）と、
前記上部フレーム（１００）、下部フレーム（２００）及び垂直フレーム（３００）の間に挟持されて組積されるブロック（４００）は、上部面の全面に亘って二等辺三角形の形状のくさび型上部突起（４０１）が設けられ、ブロック（４００）の下部面の全面に亘って二等辺三角形の形状のくさび型下部凹溝（４０２）が設けられ、ブロック（４００）の両側面の全面に亘って各々二等辺三角形の形状のくさび型側面突起（４０３）とくさび型側面凹溝（４０４）が設けられ、くさび型上部突起（４０１）とくさび型下部凹溝（４０２）とが互いに嵌め込まれ、くさび型側面突起（４０３）とくさび型側面凹溝（４０４）とが互いに嵌め込まれながら、ブロック（４００）の長手方向の側面の角が上下に隣接して積層されるブロック（４００）の上部面又は下部面の中央に位置するようにジグザグに交差して組積されるブロック（４００）と、
上部面の全面に亘って二等辺三角形の形状のくさび型上部突起（５０１）が設けられ、下部面の全面に亘って二等辺三角形の形状のくさび型下部凹溝（５０１）が設けられ、両側面の全面に亘って各々二等辺三角形の形状のくさび型側面凹溝（５０３）が設けられ、ブロック（４００）の間に挟持されてブロック（４００）の組積方向を切り替えることによって、組積されるブロック（４００）のくさび型側面凹溝（４０４）が垂直フレーム（３００）のくさび型突起（３０１）が結合されるようにする中間ブロック（５００）と、
菱形の形状の断面を有して互いに対称をなす２つのフレームボディー（７０１）が組積されたブロック（４００）によって形成された壁面の外側と内側方向において各々最上段に組積されるブロック（４００）と上部フレームとの間に挟持されて結合され、結合された２つのフレームボディー（７０１）の上部面は、上部フレーム（１００）のくさび型凹溝（１０１）に密着するように噛み合い、フレームボディー（７０１）の下部面は、最上段に組積されるブロック（４００）のくさび型上部突起（４０１）に密着するように噛み合い、２つのフレームボディー（７０１）を貫通して固定するフレームボディー締結具（７０２）からなる仕上げフレーム（７００）と、構成されることを特徴とするくさび型結合部が形成されたブロックとフレームを用いた壁体構造。
【請求項２】
前記上部フレーム（１００）と下部フレーム（１００）との間には、１つ以上の水平補強フレーム（６００）が上部フレーム（１００）及び下部フレーム（２００）と平行をなすように装着され、水平補強フレーム（６００）の上部面の全面に亘って二等辺三角形の形状のくさび型突起（６０１）が設けられ、水平補強フレーム（６００）の下部面の全面に亘って二等辺三角形の形状のくさび型凹溝（６０２）が設けられ、くさび型突起（６０１）及びくさび型凹溝（６０２）の角が上部フレーム（１００）及び下部フレーム（２００）の長手方向と平行をなし、組積されたブロック（４００）のくさび型上部突起（４０１）と水平補強フレーム（６００）のくさび型凹溝（６０２）との間に仕上げフレーム（７００）を挟持して固定するように構成されることを特徴とする、請求項１に記載のくさび型結合部が形成されたブロックとフレームを用いた壁体構造。
【請求項３】
両方の垂直フレーム（３００）の間に１つ以上の垂直中間フレーム（３１０）が設置され、垂直中間フレーム（３１０）の上部末端と下部末端は、各々堰とスラブの表面に連結されて結合され、水平補強フレーム（６００）の両側末端が垂直フレーム（３００）及び垂直中間フレーム（３１０）の側面と締結材で固定され、垂直中間フレーム（３１０）の両側面の全面に亘って二等辺三角形の形状のくさび型突起（３１１）が設けられ、くさび型突起（３１１）の角は柱の高さ方向と平行をなし、垂直中間フレーム（３１０）のくさび型突起（３１１）が組積されるブロック（４００）のくさび型側面凹溝（４０４）と密着して噛み合うように構成されることを特徴とする、請求項２に記載のくさび型結合部が形成されたブロックとフレームを用いた壁体構造。
【請求項４】
フレームとブロック（４００）及び中間ブロック（５００）の二等辺三角形の形状のくさび型突起と二等辺三角形の形状のくさび型凹溝は鈍角をなすように構成されることを特徴とする、請求項１〜３項のいずれか一項に記載のくさび型結合部が形成されたブロックとフレームを用いた壁体構造。
【請求項５】
ブロック（４００）及び中間ブロック（５００）は、結束面が水膨張性ゴム止水材で仕上げられたことを特徴とする、請求項１〜３項のいずれか一項に記載のくさび型結合部が形成されたブロックとフレームを用いた壁体構造。
【請求項６】
上部フレーム（１００）と下部フレーム（２００）及び垂直フレーム（３００）は、各々２重構造をなし、外側の上部フレーム（１００）と下部フレーム（２００）及び垂直フレーム（３００）は、柱の外側面の外方に密着し、内側の上部フレーム（１００）と下部フレーム（２００）及び垂直フレーム（３００）は、柱の外側面の奥側方向に離隔し、外側に設置される垂直フレーム（３００）は
【数４４】
2021502501.tif 000046
字形状で曲がっており、外郭柱の外方の角に垂直フレーム（３００）の曲がった内側面が密着するように装着され、外側と内側の上部フレーム（１００）と下部フレーム（２００）及び垂直フレーム（３００）の各々に挟持されて組積されるブロック（４００）の間の空間に断熱材パネル（８００）が挟持されるように構成されることを特徴とする、請求項１〜３項のいずれか一項に記載のくさび型結合部が形成されたブロックとフレームを用いた壁体構造。
【請求項７】
柱の外側又は内側の上部フレーム（１００）のくさび型凹溝（１０１）が２列に並んで配置され、
【数４５】
2021502501.tif 000047
の形状をなすＷ型凹溝（１０２）が設けられ、柱の外側又は内側の下部フレーム（２００）のくさび型突起（２０１）が各々２列に配置され、
【数４６】
2021502501.tif 000048
の形状をなすＷ型突起（２０２）が設けられ、柱の外側又は内側の垂直フレーム（３００）のくさび型突起（３０１）が各々２列に配置され、
【数４７】
2021502501.tif 000049
の形状をなすＷ型突起（３０２）が設けられる外側又は内側フレームが２重構造で構成されることを特徴とする、請求項６に記載のくさび型結合部が形成されたブロックとフレームを用いた壁体構造。
【請求項８】
上部面の全面に亘って二等辺三角形の形状のくさび型上部突起（４０１）が２列に配置され、
【数４８】
2021502501.tif 000050
の形状をなすＷ型上部突起（４１１）が設けられ、下部面の全面に亘って二等辺三角形の形状のくさび型下部凹溝（４０２）が２列に配置され、
【数４９】
2021502501.tif 000051
の形状をなすＷ型下部凹溝（４１２）が設けられ、一方の側面の全面に亘って二等辺三角形の形状のくさび型側面突起（４０３）が２列に配置され、
【数５０】
2021502501.tif 000052
の形状をなすＷ型側面突起（４１３）が設けられ、反対側の側面の全面に亘って二等辺三角形の形状のくさび型側面凹溝（４０４）が２列に配置され、
【数５１】
2021502501.tif 000053
の形状をなすＷ型側面凹溝（４１４）が設けられて成される２重ブロック（４１０）がくさび型上部突起（４１１）とくさび型下部凹溝（４１２）とが互いに嵌め込まれ、くさび型側面突起（４１３）とくさび型側面凹溝（４１４）とが互いに嵌め込まれながら、２重ブロック（４１０）の長手方向の側面の角が上下に隣接して積層される２重ブロック（４１０）の上部面又は下部面の中央に位置するようにジグザグに交差して２重構造の外側又は内側フレームに組積され、上部面の全面に亘って二等辺三角形の形状のくさび型上部突起（５０１）が２列に配置され、
【数５２】
2021502501.tif 000054
の形状をなすＷ型上部突起（５１１）が設けられ、下部面の全面に亘って二等辺三角形の形状のくさび型下部凹溝（５０１）が２列に配置され、
【数５３】
2021502501.tif 000055
の形状をなすＷ型下部凹溝（５１２）が設けられ、両側面の全面に亘って各々二等辺三角形の形状のくさび型側面凹溝（５０３）が２列に配置され、
【数５４】
2021502501.tif 000056
の形状をなすＷ型側面凹溝（５１３）が設けられてなされ、２重中間ブロック（５１０）が２重ブロック（４１０）の間に挟持されて２重ブロック（４１０）の組積方向を切り替えることによって、組積される２重ブロック（４１０）のＷ型側面凹溝（４１４）が垂直フレーム（３００）のＷ型突起（３０２）と結合するように構成されることを特徴とする、請求項７に記載のくさび型結合部が形成されたブロックとフレームを用いた壁体構造。
【請求項９】
前記水平補強フレーム（６００）の中央部には、建具サッシ（９００）が一体型で形成され、建具サッシ（９００）の両側面の全面に亘って二等辺三角形の形状のくさび型突起（９０１）が両方の垂直フレーム（３００）を向くように形成されることを特徴とする、請求項２又は請求項３に記載のくさび型結合部が形成されたブロックとフレームを用いた壁体構造。
【請求項１０】
前記断熱材パネル（８００）の表面に接着層が形成された耐水合板（８１０）が付着されて構成されることを特徴とする、請求項６に記載のくさび型結合部が形成されたブロックとフレームを用いた壁体構造。
【請求項１１】
先施工された建物の堰とスラブ及び柱にブロックを積み重ねて壁体を施工する組積工事において、
下部面の全面に亘って二等辺三角形の形状のくさび型凹溝（１０１）が設けられ、くさび型凹溝（１０１）の角が堰の長手方向と平行をなす上部フレーム（１００）を堰の表面に装着し、上部面の全面に亘って二等辺三角形の形状のくさび型突起（２０１）が設けられ、くさび型突起（２０１）の角がスラブの長手方向と平行をなす下部フレーム（２００）をスラブの表面に装着し、内側面の全面に亘って二等辺三角形の形状のくさび型突起（３０１）が設けられ、くさび型突起（３０１）の角が柱の高さ方向と平行をなす垂直フレーム（３００）を前記上部フレーム（１００）及び下部フレーム（２００）の末端と連結されるように柱の外側又は内側の表面に装着するフレーム設置工程（Ｓ１０）と、
ブロック（４００）の上部面の全面に亘って二等辺三角形の形状のくさび型上部突起（４０１）が設けられ、ブロック（４００）の下部面の全面に亘って二等辺三角形の形状のくさび型下部凹溝（４０２）が設けられ、ブロック（４００）の両側面の全面に亘って各々二等辺三角形の形状のくさび型側面突起（４０３）とくさび型側面凹溝（４０４）が設けられ、くさび型上部突起（４０１）とくさび型下部凹溝（４０２）とが互いに嵌め込まれ、くさび型側面突起（４０３）とくさび型側面凹溝（４０４）とが互いに嵌め込まれながら、ブロック（４００）の長手方向の側面の角が上下に隣接して積層されるブロック（４００）の上部面又は下部面の中央に位置するようにジグザグに交差して組積されるブロック（４００）を前記上部フレーム（１００）、下部フレーム（２００）及び垂直フレーム（３００）の間に挟持して組積する時、ブロック（４００）の組積方向を切り替えてブロック（４００）のくさび型側面凹溝（４０４）が両方の垂直フレーム（３００）のくさび型突起（３０１）と結合できるように上部面の全面に亘って二等辺三角形の形状のくさび型上部突起（５０１）が設けられ、下部面の全面に亘って二等辺三角形の形状のくさび型下部凹溝（５０１）が設けられ、両側面の全面に亘って各々二等辺三角形の形状のくさび型側面凹溝（５０３）が設けられた中間ブロック（５００）をブロック（４００）の間に挟持するブロック及び中間ブロック組積工程（Ｓ４０）と、
菱形の形状の断面を有し、互いに対称をなす２つのフレームボディー（７０１）から構成される仕上げフレーム（７００）のフレームボディー（７０１）の上部面を上部フレーム（１００）のくさび型凹溝（１０１）に密着して噛み合うようにし、フレームボディー（７０１）の下部面を最上段に組積されるブロック（４００）のくさび型上部突起（４０１）に密着して噛み合うようにした後、フレームボディー締結具（７０２）でフレームボディー（７０１）を固定する仕上げフレーム締結工程（Ｓ５０）；からなることを特徴とするくさび型結合部が形成されたブロックとフレームを用いた壁体の施工方法。
【請求項１２】
前記フレーム設置工程（Ｓ１０）は、上部フレーム（１００）と下部フレーム（２００）との間に上部面の全面に亘って二等辺三角形の形状のくさび型突起（６０１）が設けられ、下部面の全面に亘って二等辺三角形の形状のくさび型凹溝（６０２）が設けられる１つ以上の水平補強フレーム（６００）を上部フレーム（１００）及び下部フレーム（２００）と平行をなすように装着される水平補強フレーム設置工程（Ｓ１１）を含み、ブロック及び中間ブロック組積工程（Ｓ４０）で水平補強フレーム（６００）によって形成された各層に組積されたブロック（４００）のくさび型上部突起（４０１）と水平補強フレーム（６００）のくさび型凹溝（６０２）との間に仕上げフレーム（７００）を挟持して固定する水平補強仕上げフレーム締結工程（Ｓ５１）が含まれることを特徴とする、請求項１１に記載のくさび型結合部が形成されたブロックとフレームを用いた壁体の施工方法。
【請求項１３】
水平補強フレーム設置工程（Ｓ１１）が完了した後、両方の垂直フレーム（３００）の間に両方の側面の全面に亘って二等辺三角形の形状のくさび型突起（３１１）が設けられた１つ以上の垂直中間フレーム（３１０）の上部末端と下部末端が各々堰とスラブの表面に連結されて結合し、水平補強フレーム（６００）の両側の末端を垂直フレーム（３００）及び垂直中間フレーム（３１０）の側面と締結材で固定して壁面を区画化し、隣接する各々の区画は、同一の垂直中間フレーム（３１０）によって結合される垂直中間フレーム設置工程（Ｓ１２）が含まれることを特徴とする、請求項１２に記載のくさび型結合部が形成されたブロックとフレームを用いた壁体の施工方法。
【請求項１４】
ブロック及び中間ブロック組積工程（Ｓ４０）は、ブロック（４００）及び中間ブロック（５００）の各接続面に接着剤を塗布した後、組積する接着剤塗布工程（Ｓ４１）を含むことを特徴とする、請求項１１〜１３項のいずれか一項に記載のくさび型結合部が形成されたブロックとフレームを用いた壁体の施工方法。
【請求項１５】
フレーム設置工程（Ｓ１０）は、外側の上部フレーム（１００）と下部フレーム（２００）及び垂直フレーム（３００）が柱の外側面の外方に密着して設置され、内側の上部フレーム（１００）と下部フレーム（２００）及び垂直フレーム（３００）が柱の外側面の奥側方向に離隔して設置されて２重フレームを形成する２重フレーム設置工程（Ｓ２０）を含み、２重フレーム設置工程（Ｓ２０）とブロック及び中間ブロック組積工程（Ｓ４０）の間に２重フレームに断熱材パネル（８００）を付着する断熱施工工程（Ｓ３０）を更に含むことを特徴とする、請求項１１〜１３項のいずれか一項に記載のくさび型結合部が形成されたブロックとフレームを用いた壁体の施工方法。
【請求項１６】
２重フレーム設置工程（Ｓ２０）は、柱の外側又は内側の上部フレーム（１００）のくさび型凹溝（１０１）が２列に並んで配置され、
【数５５】
2021502501.tif 000057
の形状をなすＷ型凹溝（１０２）が設けられ、柱の外側又は内側の下部フレーム（２００）のくさび型突起（２０１）が各々２列に配置され、
【数５６】
2021502501.tif 000058
の形状をなすＷ型突起（２０２）が設けられ、柱の外側又は内側の垂直フレーム（３００）のくさび型突起（３０１）が各々２列に配置され、
【数５７】
2021502501.tif 000059
の形状をなすＷ型突起（３０２）が設けられる２重接合面を有するＷ型フレームを設置する工程（Ｓ２１）を含むことを特徴とする、請求項１５に記載のくさび型結合部が形成されたブロックとフレームを用いた壁体の施工方法。
【請求項１７】
ブロック及び中間ブロック組積工程（Ｓ４０）は、２重接合面を有するＷ型フレームを形成する工程（Ｓ２１）によって形成された２重フレームに上部面の全面に亘って二等辺三角形の形状のくさび型上部突起（４０１）が２列に配置され、
【数５８】
2021502501.tif 000060
の形状をなすＷ型上部突起（４１１）が設けられ、下部面の全面に亘って二等辺三角形の形状のくさび型下部凹溝（４０２）が２列に配置され、
【数５９】
2021502501.tif 000061
の形状をなすＷ型下部凹溝（４１２）が設けられ、一方の側面の全面に亘って二等辺三角形の形状のくさび型側面突起（４０３）が２列に配置され、
【数６０】
2021502501.tif 000062
の形状をなすＷ型側面突起（４１３）が設けられ、反対側の側面の全面に亘って二等辺三角形の形状のくさび型側面凹溝（４０４）が２列に配置され、
【数６１】
2021502501.tif 000063
の形状をなすＷ型側面凹溝（４１４）が設けられてなされる２重ブロック（４１０）がくさび型上部突起（４１１）とくさび型下部凹溝（４１２）とが互いに嵌め込まれ、くさび型側面突起（４１３）とくさび型側面凹溝（４１４）とが互いに嵌め込まれながら、２重ブロック（４１０）の長手方向の側面の角が上下に隣接して積層される２重ブロック（４１０）の上部面又は下部面の中央に位置するようにジグザグに交差して組積され、上部面の全面に亘って二等辺三角形の形状のくさび型上部突起（５０１）が２列に配置され、
【数６２】
2021502501.tif 000064
の形状をなすＷ型上部突起（５１１）が設けられ、下部面の全面に亘って二等辺三角形の形状のくさび型下部凹溝（５０１）が２列に配置され、
【数６３】
2021502501.tif 000065
の形状をなすＷ型下部凹溝（５１２）が設けられ、両側面の全面に亘って各々二等辺三角形の形状のくさび型側面凹溝（５０３）が２列に配置され、
【数６４】
2021502501.tif 000066
の形状をなすＷ型側面凹溝（５１３）が設けられてなされる２重中間ブロック（５１０）を２重ブロック（４１０）の間に挟持することによって、組積される２重ブロック（４１０）の組積方向が切り替えて２重ブロック（４１０）のＷ型側面凹溝（４１４）が垂直フレーム（３００）のＷ型突起（３０１）と結合できるようにする外側又は内側Ｗ型フレームに２重ブロック及び２重中間ブロックを組積する工程（Ｓ４２）を含むことを特徴とする、請求項１６に記載のくさび型結合部が形成されたブロックとフレームを用いた壁体の施工方法。
【請求項１８】
水平補強フレーム設置工程（Ｓ１１）は、中央部に建具サッシ（９００）が一体型で形成された水平補強フレーム（６００）を上部フレーム（１００）及び下部フレーム（２００）と平行をなすように装着する建具サッシ一体型水平補強フレーム設置工程（Ｓ１１Ａ）を含むことを特徴とする、請求項１２又は請求項１３項のいずれか一項に記載のくさび型結合部が形成されたブロックとフレームを用いた壁体の施工方法。
【請求項１９】
前記断熱施工工程（Ｓ３０）は、断熱材パネル（８００）の表面に接着層が形成された耐水合板（８１０）を付着する耐水合板付着工程（Ｓ３１）を含むことを特徴とする、請求項１５に記載のくさび型結合部が形成されたブロックとフレームを用いた壁体の施工方法。
【請求項２０】
ブロック及び中間ブロック組積工程（Ｓ４０）で結束面が水膨張性ゴム止水材で仕上げられたブロック（４００）及び中間ブロック（５００）を用いて組積する結合面に水膨張性ゴム止水材で適用されたブロック及び中間ブロック組積工程（Ｓ４３）が含まれることを特徴とする、請求項１１〜１３項のいずれか一項に記載のくさび型結合部が形成されたブロックとフレームを用いた壁体の施工方法。
【発明の詳細な説明】
【技術分野】
【０００１】
本発明は、建築工事で外壁又は内壁を飾るためのブロック及び組積工事の施工方法に関するものであって、より詳細には、堰とスラブ及び柱に骨組みの役割を果たすフレームを設置し、設置されたフレーム内にブロックを積層することによって、モルタルでブロックを粘着して積層する施工過程で骨組みが形成されず、衝撃及び地震に弱い組積工事の短所を補完し、ブロックの上下左右の各々の表面の全面に亘って二等辺三角形の形状のくさび型突起又はくさび型凹溝を設けて隣接するブロックが堅固に結合されるようにするとともに、ブロックと接触するフレームの内部面の全面に亘って二等辺三角形の形状のくさび型突起又はくさび型凹溝を設け、フレームの内部に積層されるブロックを堅固に固定して外部衝撃又は地震発生の際にブロックの離脱を防ぎ、積層されたブロックが互いにずれてもくさび型突起とくさび型凹溝の傾斜面によって元の位置に復旧するようにすることによって、耐震性能が飛躍的に向上したくさび型結合部が形成されたブロックとフレームを用いた壁体構造及びこれを用いた壁体の施工方法に関するものである。
【背景技術】
【０００２】
一般的に建築物の外壁又は内壁に壁体を形成する際に、煉瓦又はコンクリート等の材質からなるブロックを積み重ねて壁体を形成し、積層されたブロックの間にモルタルを塗布してブロック間の粘着が発生するようにする組積工事を遂行し、組積工事は施工が容易であり、耐湿及び耐久性に優れており、施工コストが低いという長所があり、普遍的に広く用いられる工法である。
【０００３】
前記のようなモルタルを用いてブロックを粘着させる組積構造は、ブロックの積層構造上、垂直方向に作用する振動又は衝撃に対しては簡単に支持力を失わないが、水平方向に作用する振動又は衝撃に弱いので、繰り返して持続する微細振動にもブロックを粘着して固定するモルタルがブロックから分離され、ブロック間の結合力が低下し、これによって積層されたブロックが離脱しながら壁体に亀裂が生じるかあるいは壁体が崩れる問題点を持っている。
【０００４】
特に、水平方向の振動又は衝撃に弱い組積構造の特性上、地震が発生すれば、壁体が崩れながら、大事故につながる可能性が増加し、最近韓国で発生する地震の規模及び発生回数が次第に増加しながら地震発生地域でモルタルを用いてブロックを粘着させる組積施工方法で建てられた建築物の被害事例が急増している等組積工事の耐震設計の必要性が台頭されている。
【０００５】
前記のように、水平方向の振動又は衝撃に対する抵抗力が劣る組積構造の耐震性能を向上させるためには、組積されたブロックが壁体から離脱しないようにブロックを固定する骨組みを必要とし、韓国登録特許公報第１０−１０７１３６４号では、ブロックの上部と一方の側面に結合突起を設け、ブロックの下部と反対側の側面に結合溝を設けて結合溝と結合突起との嵌め込みによってブロックの組み立てが発生するようにし、組積されたブロックの上下左右の枠に補強部材及びフレームを順に装着した後、固定部材でフレームとブロックを固定する建築用ブロックの組立構造を提案している。
【０００６】
しかし、前記の登録特許公報に係る組立構造は、ブロックとフレームを組み立てて壁体を形成した後、形成された壁体を建築物に設置して組積工事時間を短縮するための目的を達成するための構成であって、既存の組積工事と同様に、ブロックを固定するフレームが建築物に作用する主要荷重を支持する堰とスラブ及び柱と一体に挙動するように構成されておらず、地震発生の際にフレームが建築物から分離されながら壁体が崩れることがあり、ブロックに形成された結合突起と結合溝の形状的特性によって地震又は外部衝撃の作用時、ブロックに形成された結合突起と結合溝に形成された連結部の内側の角に応力集中が発生しやすく、応力集中によって結合突起又は結合溝が破損しながら壁体が崩れる恐れがある問題点を持っていた。
【発明の概要】
【発明が解決しようとする課題】
【０００７】
本発明の実施例では、建築物の主要荷重を支持する堰とスラブ及び柱にフレームを固定及び設置して地震又は外部衝撃の作用の際にフレームが堰とスラブ及び柱と一体に挙動するようにし、建築物と一体に固定されたフレームにブロックを挟み込んで固定することによって壁体組積工事に骨組みを形成して組積工事の耐震性能の向上を提供することを目的とする。
【０００８】
本発明の実施例では、積層されるブロック間の離脱が発生することを防ぎ、地震又は外部衝撃の作用によってブロックが互いにずれても結合面のくさび型突起及びくさび型凹溝の形状的特徴によってブロックが元の位置に復旧されることができるようにするブロック間の結合構造を提供することを目的とする。
【０００９】
本発明の実施例では、建築物に固定されて設置されたブロック間の離脱が発生することを防ぎ、地震又は外部衝撃の作用によってブロックとフレームが互いにずれても結合面のくさび型突起及びくさび型凹溝の形状的特徴によって元の位置に復旧可能なブロック間の結合構造を提供することを目的とする。
【００１０】
本発明の実施例では、ブロック及びフレームに設けられたくさび型突起及びくさび型凹溝を介してフレーム及びブロックの間に堅固な結合を発生させて壁体の水密性と防音性及び防風性の向上を提供することを目的とする。
【００１１】
本発明の実施例では、水密性と防音性及び防風性が重要視される壁体において、ブロックの結合面の間に接着剤を適用して組積された壁体に密室構造を形成することによって、壁体のさらに向上した水密性と防音性及び防風性を提供することを目的とする。
【課題を解決するための手段】
【００１２】
本発明の実施例によると、堰の表面に装着され、下部面の全面に亘って二等辺三角形の形状のくさび型凹溝が設けられ、くさび型凹溝の角が堰の長手方向と平行をなす上部フレームと；スラブの表面に装着され、上部面の全面に亘って二等辺三角形の形状のくさび型突起が設けられ、くさび型突起の角がスラブの長手方向と平行をなす下部フレームと；前記上部フレーム及び下部フレームの末端と連結されるように柱の外側又は内側の表面に装着され、内側面の全面に亘って二等辺三角形の形状のくさび型突起が設けられ、くさび型突起の角が柱の高さ方向と平行をなす垂直フレームと；前記上部フレーム、下部フレーム及び垂直フレームの間に挟持されて組積されるブロックは、上部面の全面に亘って二等辺三角形の形状のくさび型上部突起が設けられ、ブロックの下部面の全面に亘って二等辺三角形の形状のくさび型下部凹溝が設けられ、ブロックの両側面の全面に亘って各々二等辺三角形の形状のくさび型側面突起とくさび型側面凹溝が設けられ、くさび型上部突起とくさび型下部凹溝とが互いに嵌め込まれ、くさび型側面突起とくさび型側面凹溝とが互いに嵌め込まれながら、ブロックの長手方向の側面の角が上下に隣接して積層されるブロックの上部面又は下部面の中央に位置するようにジグザグに交差して組積されるブロックと；上部面の全面に亘って二等辺三角形の形状のくさび型上部突起が設けられ、下部面の全面に亘って二等辺三角形の形状のくさび型下部凹溝が設けられ、両側面の全面に亘って各々二等辺三角形の形状のくさび型側面凹溝が設けられ、ブロックの間に挟持されてブロックの組積方向を切り替えることによって、組積されるブロックのくさび型側面凹溝が垂直フレームのくさび型突起が結合されるようにする中間ブロック；及び菱形の形状の断面を有して互いに対称をなす２つのフレームボディーが組積されたブロックによって形成された壁面の外側と内側方向で各々最上段に組積されるブロックと上部フレームとの間に挟持されて結合され、結合された２つのフレームボディーの上部面は上部フレームのくさび型凹溝に密着するように噛み合い、フレームボディーの下部面は最上段に組積されるブロックのくさび型上部突起に密着するように噛み合い、２つのフレームボディーを貫通して固定するフレームボディー締結具からなる仕上げフレーム；から構成される。
【００１３】
本発明の実施例によると、前記上部フレームと下部フレームとの間には、１つ以上の水平補強フレームが上部フレーム及び下部フレームと平行をなすように装着され、水平補強フレームの上部面の全面に亘って二等辺三角形の形状のくさび型突起が設けられ、水平補強フレームの下部面の全面に亘って二等辺三角形の形状のくさび型凹溝が設けられ、くさび型突起及びくさび型凹溝の角が上部フレーム及び下部フレームの長手方向と平行をなし、組積されたブロックのくさび型上部突起と水平補強フレームのくさび型凹溝との間に仕上げフレームを挟持して固定するように構成される。
【００１４】
本発明の実施例によると、両方の垂直フレームの間に１つ以上の垂直中間フレームが設置され、垂直中間フレームの上部末端と下部末端は、各々堰とスラブの表面に連結されて結合され、水平補強フレームの両側末端が垂直フレーム及び垂直中間フレームの側面と締結材で固定され、垂直中間フレームの両側面の全面に亘って二等辺三角形の形状のくさび型突起が設けられ、くさび型突起の角は、柱の高さ方向と平行をなし、垂直中間フレームのくさび型突起が組積されるブロックのくさび型側面凹溝と密着して噛み合うように構成される。
【００１５】
本発明の実施例によると、フレームとブロック及び中間ブロックの二等辺三角形の形状のくさび型突起と二等辺三角形の形状のくさび型凹溝は、鈍角をなすように構成される。
【００１６】
本発明の実施例によると、ブロック及び中間ブロックは、結束面が水膨張性ゴム止水材で仕上げられる。
【００１７】
本発明の実施例によると、上部フレームと下部フレーム及び垂直フレームは、各々２重構造をなし、外側の上部フレームと下部フレーム及び垂直フレームは、柱の外側面の外方に密着し、内側の上部フレームと下部フレーム及び垂直フレームは、柱の外側面の奥側方向に離隔し、外側に設置される垂直フレームは、
【数１】
2021502501.tif 000003
字形状で曲がっており、外郭柱の外方の角に垂直フレームの曲がった内側面が密着するように装着され、外側と内側の上部フレームと下部フレーム及び垂直フレームの各々に挟持されて組積されるブロックの間の空間に断熱材パネルが挟持されるように構成される。
【００１８】
本発明の実施例によると、柱の外側又は内側の上部フレームのくさび型凹溝が２列に並んで配置され、
【数２】
2021502501.tif 000004
の形状をなすＷ型凹溝が設けられ、柱の外側又は内側の下部フレームのくさび型突起が各々２列に配置され、
【数３】
2021502501.tif 000005
の形状をなすＷ型突起が設けられ、柱の外側又は内側の垂直フレームのくさび型突起が各々２列に配置され、
【数４】
2021502501.tif 000006
の形状をなすＷ型突起が設けられる外側又は内側フレームが２重構造で構成される。
【００１９】
本発明の実施例によると、上部面の全面に亘って二等辺三角形の形状のくさび型上部突起が２列に配置され、
【数５】
2021502501.tif 000007
の形状をなすＷ型上部突起が設けられ、下部面の全面に亘って二等辺三角形の形状のくさび型下部凹溝が２列に配置され、
【数６】
2021502501.tif 000008
の形状をなすＷ型下部凹溝が設けられ、一方の側面の全面に亘って二等辺三角形の形状のくさび型側面突起が２列に配置され、
【数７】
2021502501.tif 000009
の形状をなすＷ型側面突起が設けられ、反対側の側面の全面に亘って二等辺三角形の形状のくさび型側面凹溝が２列に配置され、
【数８】
2021502501.tif 000010
の形状をなすＷ型側面凹溝が設けられてなされる２重ブロックがくさび型上部突起とくさび型下部凹溝とが互いに嵌め込まれ、くさび型側面突起とくさび型側面凹溝とが互いに嵌め込まれながら、２重ブロックの側面の角が上下に隣接して積層される２重ブロックの長手方向の上部面又は下部面の中央に位置するようにジグザグに交差して２重構造の外側フレームに組積され、上部面の全面に亘って二等辺三角形の形状のくさび型上部突起が２列に配置され、
【数９】
2021502501.tif 000011
の形状をなすＷ型上部突起が設けられ、下部面の全面に亘って二等辺三角形の形状のくさび型下部凹溝が２列に配置され、
【数１０】
2021502501.tif 000012
の形状をなすＷ型下部凹溝が設けられ、両側面の全面に亘って各々二等辺三角形の形状のくさび型側面凹溝が２列に配置され、
【数１１】
2021502501.tif 000013
の形状をなすＷ型側面凹溝が設けられてなされ、２重中間ブロックが２重ブロックの間に挟持されて２重ブロックの組積方向を切り替えることによって、組積される２重ブロックのＷ型側面凹溝が垂直フレームのＷ型突起と結合するように構成される。
【００２０】
本発明の実施例によると、前記水平補強フレームの中央部には建具サッシが一体型で形成され、建具サッシの両側面の全面に亘って二等辺三角形の形状のくさび型突起が両方の垂直フレームを向くように形成される。
【００２１】
本発明の実施例によると、前記断熱材パネルの表面に接着層が形成された耐水合板が付着されて構成される。
【００２２】
本発明の実施例によると、下部面の全面に亘って二等辺三角形の形状のくさび型凹溝が設けられ、くさび型凹溝の角が堰の長手方向と平行をなす上部フレームを堰の表面に装着し、上部面の全面に亘って二等辺三角形の形状のくさび型突起が設けられ、くさび型突起の角がスラブの長手方向と平行をなす下部フレームをスラブの表面に装着し、内側面の全面に亘って二等辺三角形の形状のくさび型突起が設けられ、くさび型突起の角が柱の高さ方向と平行をなす垂直フレームを前記上部フレーム及び下部フレームの末端と連結されるように柱の内側表面に装着するフレーム設置工程と；ブロックの上部面の全面に亘って二等辺三角形の形状のくさび型上部突起が設けられ、ブロックの下部面の全面に亘って二等辺三角形の形状のくさび型下部凹溝が設けられ、ブロックの両側面の全面に亘って各々二等辺三角形の形状のくさび型側面突起とくさび型側面凹溝が設けられ、くさび型上部突起とくさび型下部凹溝とが互いに嵌め込まれ、くさび型側面突起とくさび型側面凹溝とが互いに嵌め込まれながら、ブロックの長手方向の側面の角が上下に隣接して積層されるブロックの上部面又は下部面の中央に位置するようにジグザグに交差して組積されるブロックを前記上部フレーム、下部フレーム及び垂直フレームの間に挟持して組積する際にブロックの組積方向を切り替えてブロックのくさび型側面凹溝が両方の垂直フレームのくさび型突起と結合できるように上部面の全面に亘って二等辺三角形の形状のくさび型上部突起が設けられ、下部面の全面に亘って二等辺三角形の形状のくさび型下部凹溝が設けられ、両側面の全面に亘って各々二等辺三角形の形状のくさび型側面凹溝が設けられた中間ブロックをブロックの間に挟持するブロック及び中間ブロック組積工程と；菱形の形状の断面を有し、互いに対称をなす２つのフレームボディーから構成される仕上げフレームのフレームボディーの上部面を上部フレームのくさび型凹溝に密着して噛み合うようにし、フレームボディーの下部面を最上段に組積されるブロックのくさび型上部突起に密着して噛み合うようにした後、フレームボディー締結具でフレームボディーを固定する仕上げフレーム締結工程；からなる。
【００２３】
本発明の実施例によると、前記フレーム設置工程は、上部フレームと下部フレームの間に上部面の全面に亘って二等辺三角形の形状のくさび型突起が設けられ、下部面の全面に亘って二等辺三角形の形状のくさび型凹溝が設けられる１つ以上の水平補強フレームを上部フレーム及び下部フレームと平行をなすように装着される水平補強フレーム設置工程を含み、ブロック及び中間ブロック組積工程で水平補強フレームによって形成された各層に組積されたブロックのくさび型上部突起と水平補強フレームのくさび型凹溝との間に仕上げフレームを挟持して固定する水平補強仕上げフレーム締結工程が含まれる。
【００２４】
本発明の実施例によると、水平補強フレーム設置工程が完了した後、両方の垂直フレームの間に両方の側面の全面に亘って二等辺三角形の形状のくさび型突起が設けられた１つ以上の垂直中間フレームの上部末端と下部末端が各々堰とスラブの表面に連結されて結合し、水平補強フレームの両側末端を垂直フレーム及び垂直中間フレームの側面と締結材で固定して壁面を区画化し、隣接する各々の区画は同一の垂直中間フレームによって結合される垂直中間フレーム設置工程が含まれる。
【００２５】
本発明の実施例によると、ブロック及中間ブロック組積工程は、ブロック及び中間ブロックの各接続面に接着剤を塗布した後、組積する接着剤塗布工程を含む。
【００２６】
本発明の実施例によると、フレーム設置工程は、外側の上部フレームと下部フレーム及び垂直フレームが柱の外側面の外方に密着して設置され、内側の上部フレームと下部フレーム及び垂直フレームが柱の外側面の奥側方向に離隔し設置され、２重フレームを形成する２重フレーム設置工程を含み、２重フレーム設置工程とブロック及び中間ブロック組積工程の間に２重フレームに断熱材パネルを付着する断熱施工工程を更に含む。
【００２７】
本発明の実施例によると、２重フレーム設置工程は、柱の外側又は内側の上部フレームのくさび型凹溝が２列に並んで配置され、
【数１２】
2021502501.tif 000014
の形状をなすＷ型凹溝が設けられ、柱の外側又は内側の下部フレームのくさび型突起が各々２列に配置され、
【数１３】
2021502501.tif 000015
の形状をなすＷ型突起が設けられ、柱の外側又は内側の垂直フレームのくさび型突起が各々２列に配置され、
【数１４】
2021502501.tif 000016
の形状をなすＷ型突起が設けられる２重接合面を有するＷ型フレームを設置する工程を含む。
【００２８】
本発明の実施例によると、ブロック及び中間ブロック組積工程は、２重接合面を有するＷ型フレームを形成する工程によって形成された２重フレームに上部面の全面に亘って二等辺三角形の形状のくさび型上部突起が２列に配置され、
【数１５】
2021502501.tif 000017
の形状をなすＷ型上部突起が設けられ、下部面の全面に亘って二等辺三角形の形状のくさび型下部凹溝が２列に配置され、
【数１６】
2021502501.tif 000018
の形状をなすＷ型下部凹溝が設けられ、一方の側面の全面に亘って二等辺三角形の形状のくさび型側面突起が２列に配置され、
【数１７】
2021502501.tif 000019
の形状をなすＷ型側面突起が設けられ、反対側の側面の全面に亘って二等辺三角形の形状のくさび型側面凹溝が２列に配置され、
【数１８】
2021502501.tif 000020
の形状をなすＷ型側面凹溝が設けられてなされる２重ブロックがくさび型上部突起とくさび型下部凹溝とが互いに嵌め込まれ、くさび型側面突起とくさび型側面凹溝とが互いに嵌め込まれながら、２重ブロックの長手方向の側面の角が上下に隣接して積層される２重ブロックの上部面又は下部面の中央に位置するようにジグザグに交差して組積され、上部面の全面に亘って二等辺三角形の形状のくさび型上部突起が２列に配置され、
【数１９】
2021502501.tif 000021
の形状をなすＷ型上部突起が設けられ、下部面の全面に亘って二等辺三角形の形状のくさび型下部凹溝が２列に配置され、
【数２０】
2021502501.tif 000022
の形状をなすＷ型下部凹溝が設けられ、両側面の全面に亘って各々二等辺三角形の形状のくさび型側面凹溝が２列に配置され、
【数２１】
2021502501.tif 000023
の形状をなすＷ型側面凹溝が設けられてなされる２重中間ブロックを２重ブロックの間に挟持することによって、組積される２重ブロックの組積方向が切り替えられ、２重ブロックのＷ型側面凹溝が垂直フレームのＷ型突起と結合できるようにする外側又は内側Ｗ型フレームに２重ブロック及び２重中間ブロックを組積する工程を含む。
【００２９】
本発明の実施例によると、水平補強フレーム設置工程は、中央部に建具サッシが一体型で形成された水平補強フレームを上部フレーム及び下部フレームと平行をなすように装着する建具サッシ一体型水平補強フレーム設置工程を含む。
【００３０】
本発明の実施例によると、前記断熱施工工程は、断熱材パネルの表面に接着層が形成された耐水合板を付着する耐水合板付着工程を含む。
【００３１】
本発明の実施例によると、ブロック及び中間ブロック組積工程で結束面が水膨張性ゴム止水材で仕上げられたブロック及び中間ブロックを用いて組積する結合面に水膨張性ゴム止水材で適用されたブロック及び中間ブロック組積工程が含まれる。
【発明の効果】
【００３２】
本発明の実施例によると、堰とスラブ及び柱に締結材によって４方向に固定設置されるフレームによって組積されるブロックを固定する骨組みを形成し、フレームにブロックを挟み込んで固定することによって、水平方向の振動に弱い組積工事の短所を改善することができる効果がある。
【００３３】
本発明の実施例によると、フレームとブロックに形成された二等辺三角形の形状のくさび型凹溝及びくさび型突起の結合を介してブロック自体の自立ができるようにして組積工事の作業性を改善することができる効果がある。
【００３４】
本発明の実施例によると、ブロックの上下左右の４面に設けられたくさび型凹溝及びくさび型突起の結合面に小さな隙間が形成されることによって、外部衝撃や地震などによる振動が発生しても衝撃を緩和することができるようにし、外部衝撃によって隣接するブロックの間又はブロックとフレームが互いにずれてもくさび型凹溝及びくさび型突起の傾斜面に沿ってブロックが元の位置に復旧されながら耐震性能が向上する効果がある。
【００３５】
本発明の実施例によると、くさび型凹溝及びくさび型突起の形状が鈍角の二等辺三角形をなすようにすることによって応力集中現象によるフレームとブロックの破損を防ぐ効果がある。
【００３６】
本発明の実施例によると、ブロックの間に中間ブロックを挟み込むことによって、ブロックに形成されたくさび型側面凹溝の方向を切り替えて両側の垂直フレームの側面にくさび型突起が形成できるようにすることによって、壁体構造の骨組みの役割を果たす垂直フレームの厚みの増加による強度を向上させることができる効果がある。
【００３７】
本発明の実施例によると、ブロックに形成された二等辺三角形の形状のくさび型凹溝及びくさび型突起が上下左右の４方向で隣接ブロック又はフレームのくさび型凹溝又はくさび型突起と結合するようにして、鉄筋コンクリートの構造物の柱やスラブと一体に挙動するようにすることによって、モルタル等の接着剤を用いてブロックの結合面を粘着しなくても水密性、防音性、防風性が向上する効果がある。
【００３８】
本発明の実施例によると、ブロック及び中間ブロックを組積する際に、ブロックと中間ブロックの各接続面にタイル接着剤、セメントペースト、又はモルタル等の接着剤を適用することによって、ブロック結合面の精密施工ができるようにし、壁体の密室構造を形成して水密性、防音性、防風性を更に向上させることができる効果がある。
【００３９】
本発明の実施例によると、垂直中間フレームによって区画された隣接するブロック間に同一の垂直中間フレームで強く結合されることによって、振動及び衝撃によるブロックの離脱を防ぎ、耐震性能を向上させることができる効果がある。
【００４０】
本発明の実施例によると、Ｗ型突起と凹溝との結合を介してブロック間又はブロック及びフレーム間の結合が更に堅固に発生するようになり、振動及び衝撃によるブロックの離脱を更に効果的に防止することができる効果がある。
【００４１】
本発明の実施例によると、水平補強フレームと建具サッシを一体型で作製して建具が構造的な耐力を有するようにすることができ、建具サッシの施工過程で発生する構造壁体の損傷を防ぐことができ、建具サッシの設置コスト及び設置時間を減少させることができる効果がある。
【００４２】
本発明の実施例によると、ブロック及び中間ブロックのくさび型突起及び凹溝の結束面を水膨張性ゴム止水材で仕上げることで、用途によって水密性、防音性、防風性を向上させ、結束面の精密施工ができるようにする効果がある。
【００４３】
本発明の実施例によると、水平補強フレームと垂直中間フレームを介して壁面を区画化することによって、外部衝撃及び地震等によってブロックの破損が発生する場合、該当破損区画のみを解体して復旧することによって、メンテナンスの効率性を確保することができる効果がある。
【００４４】
本発明の実施例によると、結束面に水膨張性ゴム止水材の仕上げ処理が完了したブロック及び中間ブロックを積層することによって、水密性と防音性及び防風性の向上のための組積工程が容易で、速く実施できるようにする効果がある。
【図面の簡単な説明】
【００４５】
【図１】本発明の実施例に係るくさび型結合部が形成されたブロックとフレームを用いた壁体構造の全体構成を示す図である。
【図２】本発明の実施例に係るフレームの断面形状を示す図である。
【図３】本発明の実施例に係るくさび型結合部が形成されたブロックとフレームを用いた壁体構造の断面形状を示す図である。
【図４】本発明の実施例に係るブロックの平面図と正面図及び側面図を示す図である。
【図５】本発明の実施例に係る中間ブロックの正面図及び側面図を示す図である。
【図６】本発明の実施例に係る仕上げフレームの形状を示す図である。
【図７】本発明の実施例に係るくさび型結合部が形成されたブロックとフレームを用いた壁体構造の全体構成を示す図である。
【図８】本発明の実施例に係るくさび型結合部が形成されたブロックとフレームを用いた壁体構造の全体構成を示す図である。
【図９】本発明の実施例に係る２重壁体構造の断面形状を示す図である。
【図１０】本発明の実施例に係る２重フレームが適用された壁体構造の断面形状を示す図である。
【図１１】本発明の実施例に係る２重ブロックと２重中間ブロックが組積される２重フレームが適用された壁体構造の断面形状を示す図である。
【図１２】本発明の実施例に係る２重ブロックの正面図及び側面図を示す図である。
【図１３】本発明の実施例に係る２重中間ブロックの正面図及び側面図を示す図である。
【図１４】本発明の実施例に係る２重フレームの断面構造を示す図である。
【図１５】本発明の実施例に係る建具サッシと一体化されたフレームが適用された壁体構造の全体構成を示す図である。
【図１６】本発明の実施例に係る結合面に接着剤を適用したブロックの積層構造を示す図である。
【図１７】本発明の実施例に係るくさび型結合部が形成されたブロックとフレームを用いた壁体の施工方法の工程のフローチャートを示す図である。
【図１８】本発明の実施例に係るくさび型結合部が形成されたブロックとフレームを用いた壁体の施工方法の工程のフローチャートを示す図である。
【図１９】本発明の実施例に係るくさび型結合部が形成されたブロックとフレームを用いた壁体の施工方法の工程のフローチャートを示す図である。
【図２０】本発明の実施例に係るくさび型結合部が形成されたブロックとフレームを用いた壁体の施工方法の工程のフローチャートを示す図である。
【図２１】本発明の実施例に係るくさび型結合部が形成されたブロックとフレームを用いた壁体の施工方法の工程のフローチャートを示す図である。
【図２２】本発明の実施例に係るくさび型結合部が形成されたブロックとフレームを用いた壁体の施工方法の工程のフローチャートを示す図である。
【図２３】本発明の実施例に係るくさび型結合部が形成されたブロックとフレームを用いた壁体の施工方法の工程のフローチャートを示す図である。
【図２４】本発明の実施例に係るくさび型結合部が形成されたブロックとフレームを用いた壁体の施工方法の工程のフローチャートを示す図である。
【図２５】本発明の実施例に係るくさび型結合部が形成されたブロックとフレームを用いた壁体の施工方法の工程のフローチャートを示す図である。
【図２６】本発明の実施例に係るくさび型結合部が形成されたブロックとフレームを用いた壁体の施工方法の工程のフローチャートを示す図である。
【発明を実施するための形態】
【００４６】
以下、本発明の実施例を添付された図面を参照して説明する。本発明に係る動作及び作用を理解するために必要な部分を中心として詳細に説明する。本発明の実施例を説明しながら、本発明が属する技術分野によく知られており、本発明と直接的に関連のない技術内容については説明を省略する。これは、不要な説明を省略することによって、本発明の要旨を不明にすることなく更に明確に伝達するためのことである。
【００４７】
また、本発明の構成要素を説明するにあたって、同一の名称の構成要素について図面によって異なる参照符号を付与することもあり、互いに異なる図面であっても同一の参照符号を付与することもある。しかし、このような場合であっても、該当構成要素が実施例によって互いに異なる機能を有するということを意味するか、互いに異なる実施例で同一の可能を有するということを意味するものではなく、各々の構成要素の機能は、該当実施例における各々の構成要素についての説明に基づいて判断すべきであろう。
【００４８】
また、本明細書で使用される技術的用語は、本明細書で特に他の意味として定義されない限り、本発明が属する技術分野で通常の知識を有する者によって一般的に理解される意味として解釈されるべきであり、過渡に包括的な意味として解釈されるか、過渡に縮小された意味として解釈されるべきでない。
【００４９】
また、本明細書で使用される単数の表現は、文脈上、違って意味しない限り、複数の表現を含む。本出願において、「構成される」あるいは「含む」等の用語は、明細書上に記載された諸構成要素、又は諸段階を必ず全て含むと解釈されるべきでなく、その中の一部の構成要素あるいは一部の段階は含まれないこともあり、または追加的な構成要素あるいは段階をさらに含むことがあると解釈されるべきである。
【００５０】
本発明の第１の実施例に係るくさび型結合部が形成されたブロックとフレームを用いた壁体構造は、図１で図示のように、建築物の堰の表面には上部フレーム（１００）が締結材によって固定されて装着され、スラブの表面には下部フレーム（２００）が締結材によって固定されて装着され、柱の表面で締結材によって固定され装着される垂直フレーム（３００）の上下末端が各々上部フレーム（１００）及び下部フレーム（２００）の末端と連結され、図２ａで図示のように、上部フレーム（１００）の下部面の全面に亘って（「上部フレーム（１００）の下部面の厚み幅の全体の長さに亘って」と同一の意味であり、以下、「厚み幅の全体の長さに亘って」と同一又は類似する意味を有する表現は、「全面に亘って」と統一して記載する）二等辺三角形の形状のくさび型凹溝（１０１）が設けられ、くさび型凹溝（１０１）の角が堰の長手方向と平行をなし、図２ｂで図示のように、下部フレーム（２００）の上部面の全面に亘って二等辺三角形の形状のくさび型突起（２０１）が設けられ、くさび型突起（２０１）の角がスラブの長手方向と平行をなし、図２ｃで図示のように、両方の垂直フレーム（３００）の内側面の全面に亘って二等辺三角形の形状のくさび型突起（３０１）が設けられ、くさび型突起（３０１）の角が柱の高さ方向と平行をなす。
【００５１】
また、前記上部フレーム（１００）、下部フレーム（２００）及び垂直フレーム（３００）の間には、ブロック（４００）が挟持されて組積され、図４で図示のように、ブロック（４００）の上部面の全面に亘って二等辺三角形の形状のくさび型上部突起（４０１）が設けられ、ブロック（４００）の下部面の全面に亘って二等辺三角形の形状のくさび型下部凹溝（４０２）が設けられ、ブロック（４００）の両側面の全面に亘って各々二等辺三角形の形状のくさび型側面突起（４０３）とくさび型側面凹溝（４０４）が設けられる。
【００５２】
この時、隣接するブロック（４００）のくさび型上部突起（４０１）とくさび型下部凹溝（４０２）とが互いに嵌め込まれ、くさび型側面突起（４０３）とくさび型側面凹溝（４０４）とが互いに嵌め込まれ、ブロック（４００）の長手方向の側面の角が上下に隣接して積層されるブロック（４００）の上部面又は下部面の中央に位置するようにジグザグに交差し、図１に図示のように、ブロック（４００）がジグザグに交差して配置されても垂直フレーム（３００）とブロック（４００）が隙間なく完全に結合できるように垂直フレーム（３００）に結合されるブロック（４００）は隔層で短い長さを有するブロック（４００）が適用される。
【００５３】
また、図３ａで図示のように、ブロック（４００）の間にはブロック（４００）の組積方向を切り替えてブロック（４００）のくさび型側面凹溝（４０４）が垂直フレーム（３００）のくさび型突起（３０１）と結合されるように中間ブロック（５００）が挟持され、中間ブロック（５００）は、図５で図示のように、上部面の全面に亘って二等辺三角形の形状のくさび型上部突起（５０１）が設けられ、下部面の全面に亘って二等辺三角形の形状のくさび型下部凹溝（５０１）が設けられ、両側面の全面に亘って各々二等辺三角形の形状のくさび型側面凹溝（５０３）が設けられる。
【００５４】
また、組積されたブロック（４００）の最上段と上部フレーム（１００）との間の空間には、図３ｂのように、仕上げフレーム（７００）が装着され、最上段部のブロック（４００）と上部フレーム（１００）を固定することによって、ブロック（４００）と上部フレーム（１００）、下部フレーム（２００）及び垂直フレーム（３００）の堅固な結合が発生するようにし、仕上げフレーム（７００）は、図６に図示のように菱形の形状の断面を有して互いに対称をなす２つのフレームボディーからなされており、最上段部のブロック（４００）と上部フレーム（１００）との間の空間に内側と外側方向で各々挟持され、フレームボディー（７０１）の上部面は、上部フレーム（１００）のくさび型凹溝（１０１）に密着するように噛み合い、フレームボディー（７０１）の下部面は、最上段に組積されるブロック（４００）のくさび型上部突起（４０１）に密着するように噛み合い、フレームボディー締結具（７０２）で２つのフレームボディー（７０１）の側面部を貫通して締結することによってフレームボディー（７０１）を固定させる。
【００５５】
本発明の第２の実施例に係るくさび型結合部が形成されたブロックとフレームを用いた壁体構造は、第１の実施例の構成と同一であり、図７で図示のように、第１の実施例の上部フレーム（１００）と下部フレーム（２００）との間に１つ以上の水平補強フレーム（６００）を上部フレーム（１００）及び下部フレーム（２００）と平行をなすように装着するようになり、前記水平補強フレーム（６００）の上部面の全面に亘って二等辺三角形の形状のくさび型突起（６０１）が設けられ、水平補強フレーム（６００）の下部面の全面に亘って二等辺三角形の形状のくさび型凹溝（６０２）が設けられ、くさび型突起（６０１）及びくさび型凹溝（６０２）の角が上部フレーム（１００）及び下部フレーム（２００）の長手方向と平行をなすようになる。
【００５６】
この時、水平補強フレーム（６００）の設置によってフレームの内部に層が発生するようになり、組積されたブロック（４００）と水平補強フレーム（６００）の下部面の空間に第１の実施例で記載した仕上げフレーム（７００）を挟持することによって、フレームボディー（７０１）の上部面は水平補強フレーム（６００）のくさび型凹溝（６０２）に密着するように噛み合い、フレームボディー（７０１）の下部面は最上段に組積されるブロック（４００）のくさび型上部突起に密着するように噛み合い、フレームボディー締結具（７０２）でフレームボディー（７０１）を固定するようになる。
【００５７】
本発明の第３の実施例に係るくさび型結合部が形成されたブロックとフレームを用いた壁体構造は、第２の実施例の構成と同一であり、図８で図示のように、両方の垂直フレーム（３００）の間に１つ以上の垂直中間フレーム（３１０）が設置され、垂直中間フレーム（３１０）の上部末端と下部末端は、各々堰とスラブの表面に連結されて結合され、水平補強フレーム（６００）の両側末端が垂直フレーム（３００）及び垂直中間フレーム（３１０）の側面と締結材で固定され、図８ｂで図示のように、垂直中間フレーム（３１０）の両側面の全面に亘って二等辺三角形の形状のくさび型突起（３１１）が設けられ、くさび型突起（３１１）の角は柱の高さ方向と平行をなし、垂直中間フレーム（３１０）のくさび型突起（３１１）がフレームの内部に組積されるブロック（４００）のくさび型側面凹溝（４０４）と密着して噛み合うようになる。
【００５８】
本発明の第４の実施例に係るくさび型結合部が形成されたブロックとフレームを用いた壁体構造は、第１乃至第３の実施例の構成と同一であり、フレームとブロック（４００）及び中間ブロック（５００）の二等辺三角形の形状のくさび型突起と二等辺三角形の形状のくさび型凹溝は鈍角をなすようになり、くさび型突起とくさび型凹溝が鈍角の二等辺三角形をなすようにすることによって、応力集中現象によるフレームとブロックの破損を防ぐことができるようになる。
【００５９】
本発明の第５の実施例に係るくさび型結合部が形成されたブロックとフレームを用いた壁体構造は、第１乃至第３の実施例の構成と同一であり、ブロック（４００）及び中間ブロック（５００）の結束面が水膨張性ゴム止水材で仕上げられ、水膨張性ゴム止水材は水分と接触すれば、膨張が発生する材料であって、コンクリートあるいは金属等多様な材料と安定的に接着されることができ、ブロック（４００）と中間ブロック（５００）の表面に適用することができ、ブロック（４００）及び中間ブロック（５００）の組積が完了した状態で水膨張性ゴム止水材が水分によって膨張するようになれば、ブロック（４００）及び中間ブロック（５００）の結束面の間の隙間が完全に遮断され、組積ブロック壁体の防音、防風、防水力を更に向上させることができるようになる。
【００６０】
本発明の第６の実施例に係るくさび型結合部が形成されたブロックとフレームを用いた壁体構造は、第１乃至第３の実施例の構成と同一であり、図９で図示のように、第１の実施例の上部フレーム（１００）と下部フレーム（２００）及び垂直フレーム（３００）、第２の実施例の水平補強フレーム（６００）、第３の実施例の垂直中間フレーム（３１０）が各々２重構造をなすようになり、外側の上部フレーム（１００）と下部フレーム（２００）及び垂直フレーム（３００）は、柱の外側面の外方に密着し、内側の上部フレーム（１００）と下部フレーム（２００）及び垂直フレーム（３００）は、柱の外側面の奥側方向に離隔し、外部及び内部フレームの間に空間が形成され、外部及び内部フレームの間の空間には断熱材パネル（８００）が付着され、外部及び内部フレームに組積されたブロック（４００）によって形成される壁体の間に断熱材パネル（８００）が位置するようになる。
【００６１】
この時、建築物の外郭柱の外方に設置される垂直フレーム（３００）は、図９で図示のように、
【数２２】
2021502501.tif 000024
字形状で曲がっており、外郭柱の外方の角に垂直フレーム（３００）の曲がった内側面が密着するように装着され、外側の柱を基準として互いに隣り合う壁面が垂直フレーム（３００）を共有するようになる。
【００６２】
本発明の第７の実施例に係るくさび型結合部が形成されたブロックとフレームを用いた壁体構造は、第６の実施例の構成と同一であり、図１０で図示のように、外側又は内側フレームが２重構造で構成され、図１４ａで図示のように、柱の外側又は内側の上部フレーム（１００）のくさび型凹溝（１０１）が２列に並んで配置され、
【数２３】
2021502501.tif 000025
の形状をなすＷ型凹溝（１０２）が設けられ、図１４ｂで図示のように、柱の外側又は内側の下部フレーム（２００）のくさび型突起（２０１）が各々２列に配置され、
【数２４】
2021502501.tif 000026
の形状をなすＷ型突起（２０２）が設けられ、図１４ｃで図示のように、柱の外側又は内側の垂直フレーム（３００）のくさび型突起（３０１）が各々２列に配置され、
【数２５】
2021502501.tif 000027
の形状をなすＷ型突起（３０２）が設けられ、Ｗ型凹溝（１０２）に設けられた２つの角は、上部フレーム（１００）の長手方向と互いに平行をなし、Ｗ型突起（２０２）に形成された２つの角は、下部フレーム（２００）の長手方向と互いに平行をなし、Ｗ型突起（３０２）に形成された２つの角は、垂直フレーム（３００）の高さ方向と互いに平行をなす。
【００６３】
本発明の第８の実施例に係るくさび型結合部が形成されたブロックとフレームを用いた壁体構造は、第７の実施例の構成と同一であり、図１１で図示のように、第６の実施例に係る２重構造の外側又は内側フレームに２重ブロック（４１０）と２重中間ブロック（５１０）を積層するようになり、図１２で図示のように、２重ブロック（４１０）は、上部面の全面に亘って二等辺三角形の形状のくさび型上部突起（４０１）が２列に配置され、
【数２６】
2021502501.tif 000028
の形状をなすＷ型上部突起（４１１）が設けられ、下部面の全面に亘って二等辺三角形の形状のくさび型下部凹溝（４０２）が２列に配置され、
【数２７】
2021502501.tif 000029
の形状をなすＷ型下部凹溝（４１２）が設けられ、一方の側面の全面に亘って二等辺三角形の形状のくさび型側面突起（４０３）が２列に配置され、
【数２８】
2021502501.tif 000030
の形状をなすＷ型側面突起（４１３）が設けられ、反対側の側面の全面に亘って二等辺三角形の形状のくさび型側面凹溝（４０４）が２列に配置され、
【数２９】
2021502501.tif 000031
の形状をなすＷ型側面凹溝（４０４）が設けられる。
【００６４】
また、図１３で図示のように、２重中間ブロック（５１０）は、上部面の全面に亘って二等辺三角形の形状のくさび型上部突起（５０１）が２列に配置され、
【数３０】
2021502501.tif 000032
の形状をなすＷ型上部突起（５１１）が設けられ、下部面の全面に亘って二等辺三角形の形状のくさび型下部凹溝（５０１）が２列に配置され、
【数３１】
2021502501.tif 000033
の形状をなすＷ型下部凹溝（５１２）が設けられ、両側面の全面に亘って各々二等辺三角形の形状のくさび型側面凹溝（５０３）が２列に配置され、
【数３２】
2021502501.tif 000034
の形状をなすＷ型側面凹溝（５１３）が設けられる。
【００６５】
この時、２重ブロック（４１０）の長手方向の側面の角が上下に隣接して積層される２重ブロック（４１０）の上部面又は下部面の中央に位置するようにジグザグに交差して組積され、組積される２重ブロック（４１０）の間でくさび型上部突起（４１１）とくさび型下部凹溝（４１２）とが互いに嵌め込まれて結合され、くさび型側面突起（４１３）とくさび型側面凹溝（４１４）とが互いに嵌め込まれて結合され、組積された２重ブロック（４１０）の間には２重中間ブロック（５１０）が挟持されることによって、組積される２重ブロック（４１０）のＷ型側面凹溝（４１４）が垂直フレーム（３００）のＷ型突起（３０２）と結合できるように２重ブロック（４１０）の組積方向を切り替える。
【００６６】
また、上下に隣接して積層される２重ブロック（４１０）がジグザグに交差して配置されても垂直フレーム（３００）と２重ブロック（４１０）が隙間なく完全に結合できるように垂直フレーム（３００）に結合される２重ブロック（４１０）は隔層で短い長さを有する２重ブロック（４１０）が適用される。
【００６７】
本発明の第９の実施例に係るくさび型結合部が形成されたブロックとフレームを用いた壁体構造は、第２又は第３の実施例の構成と同一であり、図１５で図示のように、水平補強フレーム（６００）の中央部に建具サッシ（９００）が一体型で形成され、建具サッシ（９００）の両側面の全面に亘って二等辺三角形の形状のくさび型突起（９０１）が両方の垂直フレーム（３００）を向くように形成されており、フレームに組積されるブロック（４００）のくさび型側面凹溝（４０４）と建具サッシ（９００）のくさび型突起（９０１）が互いに結合して固定できるようにする。
【００６８】
本発明の第１０の実施例に係るくさび型結合部が形成されたブロックとフレームを用いた壁体構造は、第６の実施例の構成と同一であり、図１６で図示のように、第６の実施例に係る断熱材パネル（８００）の表面に接着層が形成された耐水合板（８１０）が付着され構成される。
【００６９】
前記のように構成される本発明の壁体構造の施工方法は次のようである。
【００７０】
本発明の第１１の実施例に係るくさび型結合部が形成されたブロックとフレームを用いた壁体の施工方法は、図１７で図示のように、フレーム設置工程（Ｓ１０）、ブロック及び中間ブロック組積工程（Ｓ４０）及び仕上げフレーム締結工程（Ｓ５０）からなり、フレーム設置工程（Ｓ１０）では、堰の表面に上部フレーム（１００）を締結材を介して固定して装着し、スラブの表面に下部フレーム（２００）を締結材を介して固定して装着し、前記上部フレーム（１００）及び下部フレーム（２００）の末端が垂直フレーム（３００）の末端と連結されるように垂直フレーム（３００）を柱の内側表面に締結材を介して固定して装着する。
【００７１】
この時、上部フレーム（１００）の下部面の全面に亘って二等辺三角形の形状のくさび型凹溝（１０１）が設けられ、くさび型凹溝（１０１）の角は堰の長手方向と平行をなし、下部フレーム（２００）の上部面の全面に亘って二等辺三角形の形状のくさび型突起（２０１）が設けられ、くさび型突起（２０１）の角がスラブの長手方向と平行をなし、垂直フレーム（３００）の内側面の全面に亘って二等辺三角形の形状のくさび型突起（３０１）が設けられ、くさび型突起（３０１）の角が柱の高さ方向と平行をなすように設置することによってフレーム設置工程（Ｓ１０）が完了する。
【００７２】
フレーム設置工程（Ｓ１０）が完了すれば、フレームの内部にブロック（４００）を組積し、ブロック（４００）の間に中間ブロック（５００）を挟み込むブロック及び中間ブロック組積工程（Ｓ４０）がなされ、ブロック（４００）は上部面の全面に亘って二等辺三角形の形状のくさび型上部突起（４０１）が設けられ、下部面の全面に亘って二等辺三角形の形状のくさび型下部凹溝（４０２）が設けられ、両側面の全面に亘って各々二等辺三角形の形状のくさび型側面突起（４０３）とくさび型側面凹溝（４０４）が設けられており、隣接するブロック（４００）のくさび型上部突起（４０１）とくさび型下部凹溝（４０２）とが互いに嵌め込まれ、くさび型側面突起（４０３）とくさび型側面凹溝（４０４）とが互いに嵌め込まれながら組積され、組積されたブロック（４００）の長手方向の側面の角が上下に隣接して積層されるブロック（４００）の上部面又は下部面の中央に位置するようにジグザグに交差して組積され、ブロック（４００）がジグザグに交差して配置される時、垂直フレーム（３００）とブロック（４００）が隙間なく完全に結合できるように垂直フレーム（３００）に結合されるブロック（４００）は隔層で短い長さを有するブロック（４００）が適用される。
【００７３】
この時、垂直及び水平方向の振動が発生しても堰とスラブ及び柱に締結材で固定され装着されたフレームが骨組みの役割を果たすようになり、組積施工された壁体が崩れることが防止できるようになり、特にブロック（４００）の上下左右の４方向に設けられたくさび型上部突起（４０１）、くさび型下部凹溝（４０２）、くさび型側面突起（４０３）及びくさび型側面凹溝（４０４）によって隣接するブロック（４００）間の４方向結合が発生し、フレームに設けられたくさび型凹溝又はくさび型突起に嵌め込まれ、フレームとブロック（４００）が鉄筋コンクリートの構造物の柱やスラブと一体に挙動するようにすることによって、振動及び衝撃によるブロック（４００）の離脱を防ぎ、耐震性能を向上させることができるようにする。
【００７４】
また、ブロック（４００）と中間ブロック（５００）の結合面をモルタル等の接着剤を用いて粘着しなくてもフレームとブロック（４００）及び中間ブロック（５００）に設けられたくさび型突起とくさび型凹溝の結合によって堅固な固定が発生して既存の組積施工方法による壁体に比べて水密性、防音性、防風性を得ることができるようにする。
【００７５】
また、フレームとブロック（４００）に各々設けられたくさび型凹溝又はくさび型突起の結合を介してブロック（４００）自体の自立ができるようにして組積施工が更に容易になるようにし、ブロック（４００）の上下左右の４面に設けられたくさび型凹溝及びくさび型突起の結合面に微細な隙間が形成されることによって、外部衝撃や地震等による振動が発生してもブロック（４００）が微細に動きながら衝撃を緩和させることができるようにし、強い外部衝撃によってブロック（４００）間又はブロック（４００）とフレーム間のズレが発生してもくさび型凹溝及びくさび型突起が接触する傾斜面によってブロック（４００）の重さが隣接するブロック（４００）又はブロック（４００）とフレームの間に中心点が一致するようにする復元力で作用して元の位置に復旧できるようにすることによって耐震性能が更に向上できるようにする。
【００７６】
積層されるブロック（４００）の間には中間ブロック（５００）を挟持するようになり、中間ブロック（５００）はブロック（４００）の組積方向を切り替え、ブロック（４００）のくさび型側面凹溝（４０４）が両方の垂直フレーム（３００）のくさび型突起（３０１）と結合できるように上部面の全面に亘って二等辺三角形の形状のくさび型上部突起（５０１）が設けられ、下部面の全面に亘って二等辺三角形の形状のくさび型下部凹溝（５０１）が設けられ、両側面の全面に亘って各々二等辺三角形の形状のくさび型側面凹溝（５０３）が設けられている。
【００７７】
この時、中間ブロック（５００）によってブロック（４００）のくさび型側面凹溝（４０４）が両方の垂直フレーム（３００）を向くようにすることによって、両方の垂直フレーム（３００）の側面の表面にくさび型突起（３０１）が設けられるようにし、垂直フレーム（３００）にくさび型凹溝を設ける場合に比べて垂直フレーム（３００）の厚みが増加するようになり、本発明に係る壁体構造の骨組みの役割を兼ねる垂直フレーム（３００）の強度を高めることができるようにする。
【００７８】
また、フレームとブロック（４００）及び中間ブロック（５００）に設けられたくさび型凹溝及びくさび型突起の形状は、鈍角の二等辺三角形をなすようにすることが好ましく、鈍角の二等辺三角形の形状が適用される場合、角に作用する応力集中現象が最小化され、外部衝撃が加えられた時にフレームとブロック（４００）及び中間ブロック（５００）のくさび型凹溝及びくさび型突起の破損を防止することができるようにする。
【００７９】
ブロック及び中間ブロック組積工程（Ｓ４０）が完了すれば、仕上げフレーム締結工程（Ｓ５０）を遂行するようになり、組積されたブロック（４００）の最上段と上部フレーム（１００）との間の空間に菱形の形状の断面を有して互いに対称をなす２つのフレームボディー（７０１）からなる仕上げフレーム（７００）を装着するようになり、２つのフレームボディー（７０１）は最上段部のブロック（４００）と上部フレーム（１００）との間の空間に内側と外側方向で各々挟持されながら、フレームボディー（７０１）の上部面が上部フレーム（１００）のくさび型凹溝（１０１）に密着するように噛み合わせ、フレームボディー（７０１）の下部面が最上段に組積されるブロック（４００）のくさび型上部突起（４０１）に密着するように噛み合わせた後、フレームボディー締結具（７０２）で２つのフレームボディー（７０１）の側面部を貫通して締結することによってフレームボディー（７０１）を固定することで仕上げフレーム締結工程（Ｓ５０）が完了する。
【００８０】
本発明の第１２の実施例に係るくさび型結合部が形成されたブロックとフレームを用いた壁体の施工方法は、第１１の実施例の施工方法と同一であり、図１８で図示のように、フレーム設置工程（Ｓ１０）で上部フレーム（１００）と下部フレーム（２００）との間に１つ以上の水平補強フレーム（６００）を上部フレーム（１００）及び下部フレーム（２００）と平行をなすように装着する水平補強フレーム設置工程（Ｓ１１）を遂行し、水平補強フレーム（６００）は、上部面の全面に亘って二等辺三角形の形状のくさび型突起（６０１）が設けられ、下部面の全面に亘って二等辺三角形の形状のくさび型凹溝（６０２）が設けられており、ブロック及び中間ブロック組積工程（Ｓ４０）か完了した後、仕上げフレーム締結工程（Ｓ５０）を遂行する時、水平補強フレーム（６００）によって形成された各層に組積されたブロック（４００）のくさび型上部突起（４０１）と水平補強フレーム（６００）のくさび型凹溝（６０２）との間に仕上げフレーム（７００）を挟持して固定する水平補強仕上げフレーム締結工程（Ｓ５１）が含まれる。
【００８１】
本発明の第１３の実施例に係るくさび型結合部が形成されたブロックとフレームを用いた壁体の施工方法は、第１２の実施例の施工方法と同一であり、図１９で図示のように水平補強フレーム設置工程（Ｓ１１）が完了すれば、両方の垂直フレーム（３００）の間に１つ以上の垂直中間フレーム（３１０）を装着する垂直中間フレーム設置工程（Ｓ１２）を遂行するようになり、垂直中間フレーム（３１０）は上部末端と下部末端が各々堰とスラブの表面に直接連結されて結合され、垂直中間フレーム（３１０）の両方の側面の全面に亘って二等辺三角形の形状のくさび型突起（３１１）が設けられている。
【００８２】
この時、水平補強フレーム（６００）の両側の末端が垂直フレーム（３００）及び垂直中間フレーム（３１０）の側面と締結材で固定されることによって、壁面が垂直中間フレーム（３１０）及び水平補強フレーム（６００）によって区画化され、外部衝撃及び地震等によってブロック（４００）の破損が発生する場合、該当破損区画のみを解体して復旧することによって、壁体のメンテナンスの効率性が確保できるようにし、隣接する各々の区画は同一の垂直中間フレーム（３１０）によってブロック（４００）を固定してブロック（４００）が強く結合できるようにすることによって振動及び衝撃によるブロック（４００）の離脱を防ぎ、耐震性能を向上させることができるようにする。
【００８３】
本発明の第１４の実施例に係るくさび型結合部が形成されたブロックとフレームを用いた壁体の施工方法は、第１１乃至第１３の実施例の施工方法と同一であり、防音、防風、防水が重要視される部位の壁体に適用する施工方法であって、図２０で図示のように、ブロック及び中間ブロック組積工程（Ｓ４０）でブロック（４００）及び中間ブロック（５００）の各接続面にタイル接着剤、セメントペースト又はモルタル等の接着剤を塗布した後、組積する接着剤塗布工程（Ｓ４１）を含み、図１６で図示のように、ブロック（４００）及び中間ブロック（５００）の接続面に接着剤を塗布することによって、ブロック（４００）及び中間ブロック（５００）間の結合面の隙間を遮断して精密施工ができるようにし、密室構造を有する壁体を形成してブロック（４００）及び中間ブロック（５００）の間の防音、防風、防水力を更に向上させることができるようにする。
【００８４】
本発明の第１５の実施例に係るくさび型結合部が形成されたブロックとフレームを用いた壁体の施工方法は、第１１乃至第１３の実施例の施工方法と同一であり、図２１で図示のように、フレーム設置工程（Ｓ１０）でフレームを外側と内側方向に２重で形成する２重フレーム設置工程（Ｓ２０）を含み、２重フレーム設置工程（Ｓ２０）では、外側の上部フレーム（１００）と下部フレーム（２００）及び垂直フレーム（３００）を柱の外側面の外方に密着するように設置し、内側の上部フレーム（１００）と下部フレーム（２００）及び垂直フレーム（３００）を柱の外側面の奥側方向に離隔するように設置して、外側フレームと内側フレームとの間に空間を形成し、２重フレーム設置工程（Ｓ２０）が完了すれば、ブロック及び中間ブロック組積工程（Ｓ４０）を遂行する前に２重フレームに断熱材パネル（８００）を付着する断熱施工工程（Ｓ３０）を遂行することによって、断熱性能を向上させることができるようにする。
【００８５】
本発明の第１６の実施例に係るくさび型結合部が形成されたブロックとフレームを用いた壁体の施工方法は、第１５の実施例の施工方法と同一であり、図２２で図示のように、２重フレーム設置工程（Ｓ２０）で外側又は内側のフレームに設けられたくさび型凹溝又はくさび型突起を２列に並んで配置して、
【数３３】
2021502501.tif 000035
の形状をなすＷ型凹溝又はＷ型突起が設けられた２重接合面を有するＷ型フレームを設置する工程（Ｓ２１）を含めて遂行するようになり、２重接合面を有するＷ型フレームを設置する工程（Ｓ２１）では、外側又は内側の上部フレーム（１００）のくさび型凹溝（１０１）が２列に並んで配置され、
【数３４】
2021502501.tif 000036
の形状をなすＷ型凹溝（１０２）が設けられ、外側又は内側の下部フレーム（２００）のくさび型突起（２０１）が各々２列に配置され、
【数３５】
2021502501.tif 000037
の形状をなすＷ型突起（２０２）が設けられ、外側又は内側の垂直フレーム（３００）のくさび型突起（３０１）が各々２列に配置され、
【数３６】
2021502501.tif 000038
の形状をなすＷ型突起（３０２）が設けられる２重接合面を有するＷ型フレームを形成することによって、建築物の設計上、必要によって厚い壁面を形成しなければならない場合にもフレームとブロック（４００）との間の堅固な結合を維持することができるようにする。
【００８６】
本発明の第１７の実施例に係るくさび型結合部が形成されたブロックとフレームを用いた壁体の施工方法は、第１６の実施例の施工方法と同一であり、図２３で図示のように、ブロック及び中間ブロック組積工程（Ｓ４０）では、２重接合面を有するＷ型フレームを設置する工程（Ｓ２１）で形成されたＷ型フレームにブロック（４００）２つが並んで連結され、くさび型側面突起（４０３）と側面凹溝（４０４）の形状が各々Ｗ形状をなす２重ブロック（４１０）を用いて組積し、２重ブロック（４１０）の間には中間ブロック（５００）２つが並んで連結され、くさび型凹溝（５０３）の形状がＷ形状をなす２重中間ブロック（５１０）を挟持して固定する外側又は内側Ｗ型フレームに２重ブロック及び２重中間ブロックを組積する工程（Ｓ４２）を遂行するようになり、２重ブロック（４１０）は、上部面の全面に亘って二等辺三角形の形状のくさび型上部突起（４０１）が２列に配置され、
【数３７】
2021502501.tif 000039
の形状をなすＷ型上部突起（４１１）が設けられ、下部面の全面に亘って二等辺三角形の形状のくさび型下部凹溝（４０２）が２列に配置され、
【数３８】
2021502501.tif 000040
の形状をなすＷ型下部凹溝（４１２）が設けられ、一方の側面の全面に亘って二等辺三角形の形状のくさび型側面突起（４０３）が２列に配置され、
【数３９】
2021502501.tif 000041
の形状をなすＷ型側面突起（４１３）が設けられ、反対側の側面の全面に亘って二等辺三角形の形状のくさび型側面凹溝（４０４）が２列に配置され、
【数４０】
2021502501.tif 000042
の形状をなすＷ型側面凹溝（４１４）が設けられてなされ、２重接合面を有するＷ型フレームを形成する工程（Ｓ２１）で形成された２重フレームに２重ブロック（４１０）のＷ型突起及びＷ型凹溝が結合される。
【００８７】
また、外側又は内側Ｗ型フレームに２重ブロック及び２重中間ブロックを組積する工程（Ｓ４２）では、隣接する２重ブロック（４１０）間のくさび型上部突起（４１１）とくさび型下部凹溝（４１２）とが互いに嵌め込まれ、くさび型側面突起（４１３）とくさび型側面凹溝（４１４）とが互いに嵌め込まれながら、２重ブロック（４１０）の長手方向の側面の角が上下に隣接して積層される２重ブロック（４１０）の上部面又は下部面の中央に位置するようにジグザグに交差して組積される。
【００８８】
この時、上下に隣接して積層される２重ブロック（４１０）がジグザグに交差して配置されても垂直フレーム（３００）と２重ブロック（４１０）が隙間なく完全に結合できるように垂直フレーム（３００）に結合される２重ブロック（４１０）は隔層で短い長さを有する２重ブロック（４１０）を適用する。
【００８９】
また、２重中間ブロック（５００）は、上部面の全面に亘って二等辺三角形の形状のくさび型上部突起（５０１）が２列に配置され、
【数４１】
2021502501.tif 000043
の形状をなすＷ型上部突起（５１１）が設けられ、下部面の全面に亘って二等辺三角形の形状のくさび型下部凹溝（５０１）が２列に配置され、
【数４２】
2021502501.tif 000044
の形状をなすＷ型下部凹溝（５１２）が設けられ、両側面の全面に亘って各々二等辺三角形の形状のくさび型側面凹溝（５０３）が２列に配置され、
【数４３】
2021502501.tif 000045
の形状をなすＷ型側面凹溝（５１３）が設けられ、２重中間ブロック（５１０）を２重ブロックの間に挟持することによって、組積される２重ブロック（４１０）の組積方向が切り替えられ、２重ブロック（４１０）のＷ型側面凹溝（４１４）が垂直フレーム（３００）のＷ型突起（３０１）と結合されることができるようにする。
【００９０】
この時、外側又は内側Ｗ型フレームに２重ブロック及び２重中間ブロックを組積する工程（Ｓ４２）で、２重ブロック（４１０）及び２重中間ブロック（５１０）を用いて２重接合面を有するＷ型フレームに組積する場合、組積するブロックの数量が減って工程時間を短縮することができ、単一形態のくさび型突起及びくさび型凹溝の結合に比べて更に強い結合ができるようになり、振動及び衝撃によるブロックの離脱を更に効果的に防止することができるようにする。
【００９１】
本発明の第１８の実施例に係るくさび型結合部が形成されたブロックとフレームを用いた壁体の施工方法は、第１２又は第１３の実施例の施工方法と同一であり、図２４で図示のように、水平補強フレーム設置工程（Ｓ１１）で水平補強フレーム（６００）の設置の際に、中央部に建具サッシ（９００）が一体型で形成された水平補強フレーム（６００）を上部フレーム（１００）及び下部フレーム（２００）と平行をなすように装着する建具サッシ一体型水平補強フレーム設置工程（Ｓ１１Ａ）が遂行され、水平補強フレーム（６００）と一体型で作製された建具サッシ（９００）の側面に設けられたくさび型突起（９０１）にブロック（４００）のくさび型側面凹溝（４０４）が嵌め込まれ、強く固定されながら建具サッシ（９００）が上部フレーム（１００）と下部フレーム（２００）及び垂直フレーム（３００）と一体化されることによって、建具が構造的な耐力を有することができるようにし、別途の建具サッシ（９００）施工過程を経ることなく、建具サッシ（９００）の施工過程で発生する構造壁体の損傷を防ぐことができ、建具サッシ（９００）の設置コスト及び設置時間を減少させることができるようにする。
【００９２】
本発明の第１９の実施例に係るくさび型結合部が形成されたブロックとフレームを用いた壁体の施工方法は、第１５の実施例の施工方法と同一であり、図２５で図示のように、断熱施工工程（Ｓ３０）で断熱材パネル（８００）の表面に接着層が形成された耐水合板を付着する耐水合板付着工程（Ｓ３１）を遂行して壁体の耐水性を更に向上させることができるようにする。
【００９３】
本発明の第２０の実施例に係るくさび型結合部が形成されたブロックとフレームを用いた壁体の施工方法は、第１１乃至第１３の実施例の施工方法と同一であり、図２６で図示のように、第１１乃至第１３の実施例のブロック及び中間ブロック組積工程（Ｓ４０）で結束面が水膨張性ゴム止水材で仕上げられたブロック（４００）及び中間ブロック（５００）を用いて組積する結合面に水膨張性ゴム止水材で適用されたブロック及び中間ブロック組積工程（Ｓ４３）が含まれることがあり、水膨張性ゴム止水材は、前記のように水分によって膨張しながらブロック壁体の防音、防風、防水力を向上させることができ、水膨張性ゴム止水材を壁体施工の中間に適用することではなく、結束面に水膨張性ゴム止水材仕上げ処理が完了したブロック（４００）及び中間ブロック（５００）を適用することによって、工程が更に迅速に完了できるようにする。
【００９４】
前記の内容を参照して本発明の実施例を説明したが、本発明が属する技術分野の当業者は、本発明がその技術的思想や必須的特徴を変更することなく、他の具体的な形態で実施されることができるということが理解できるだろう。
【００９５】
それ故に、以上で記述した実施例は、全ての面で例示的なものであり、限定的なものではないと理解されるべきであり、前記詳細な説明で記述された本発明の範囲は、後述する特許請求範囲によって示され、特に請求範囲の意味及び範囲且つその等値概念から導出される全ての変更又は変形された形態が本発明の範囲に含まれると解釈されるべきである。
【図１】
2021502501.tif 000067
【図２】
2021502501.tif 000068
【図３】
2021502501.tif 000069
【図４】
2021502501.tif 000070
【図５】
2021502501.tif 000071
【図６】
2021502501.tif 000072
【図７】
2021502501.tif 000073
【図８】
2021502501.tif 000074
【図９】
2021502501.tif 000075
【図１０】
2021502501.tif 000076
【図１１】
2021502501.tif 000077
【図１２】
2021502501.tif 000078
【図１３】
2021502501.tif 000079
【図１４】
2021502501.tif 000080
【図１５】
2021502501.tif 000081
【図１６】
2021502501.tif 000082
【図１７】
2021502501.tif 000083
【図１８】
2021502501.tif 000084
【図１９】
2021502501.tif 000085
【図２０】
2021502501.tif 000086
【図２１】
2021502501.tif 000087
【図２２】
2021502501.tif 000088
【図２３】
2021502501.tif 000089
【図２４】
2021502501.tif 000090
【図２５】
2021502501.tif 000091
【図２６】
2021502501.tif 000092
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
先施工された建物の堰とスラブ及び柱にブロックを積み重ねて壁体を施工する組積工事において、
堰の表面に装着され、下部面の全面に亘って二等辺三角形の形状のくさび型凹溝（１０１）が設けられ、くさび型凹溝（１０１）の角が堰の長手方向と平行をなす上部フレーム（１００）と、
スラブの表面に装着され、上部面の全面に亘って二等辺三角形の形状のくさび型突起（２０１）が設けられ、くさび型突起（２０１）の角がスラブの長手方向と平行をなす下部フレーム（２００）と、
前記上部フレーム（１００）及び下部フレーム（２００）の末端と連結されるように柱の外側又は内側の表面に装着され、内側面の全面に亘って二等辺三角形の形状のくさび型突起（３０１）が設けられ、くさび型突起（３０１）の角が柱の高さ方向と平行をなす垂直フレーム（３００）と、
前記上部フレーム（１００）、下部フレーム（２００）及び垂直フレーム（３００）の間に挟持されて組積されるブロック（４００）は、上部面の全面に亘って二等辺三角形の形状のくさび型上部突起（４０１）が設けられ、ブロック（４００）の下部面の全面に亘って二等辺三角形の形状のくさび型下部凹溝（４０２）が設けられ、ブロック（４００）の両側面の全面に亘って各々二等辺三角形の形状のくさび型側面突起（４０３）とくさび型側面凹溝（４０４）が設けられ、くさび型上部突起（４０１）とくさび型下部凹溝（４０２）とが互いに嵌め込まれ、くさび型側面突起（４０３）とくさび型側面凹溝（４０４）とが互いに嵌め込まれながら、ブロック（４００）の長手方向の側面の角が上下に隣接して積層されるブロック（４００）の上部面又は下部面の中央に位置するようにジグザグに交差して組積されるブロック（４００）と、
上部面の全面に亘って二等辺三角形の形状のくさび型上部突起（５０１）が設けられ、下部面の全面に亘って二等辺三角形の形状のくさび型下部凹溝（５０１）が設けられ、両側面の全面に亘って各々二等辺三角形の形状のくさび型側面凹溝（５０３）が設けられ、ブロック（４００）の間に挟持されてブロック（４００）の組積方向を切り替えることによって、組積されるブロック（４００）のくさび型側面凹溝（４０４）が垂直フレーム（３００）のくさび型突起（３０１）が結合されるようにする中間ブロック（５００）と、
菱形の形状の断面を有して互いに対称をなす２つのフレームボディー（７０１）が組積されたブロック（４００）によって形成された壁面の外側と内側方向において各々最上段に組積されるブロック（４００）と上部フレームとの間に挟持されて結合され、結合された２つのフレームボディー（７０１）の上部面は、上部フレーム（１００）のくさび型凹溝（１０１）に密着するように噛み合い、フレームボディー（７０１）の下部面は、最上段に組積されるブロック（４００）のくさび型上部突起（４０１）に密着するように噛み合い、２つのフレームボディー（７０１）を貫通して固定するフレームボディー締結具（７０２）からなる仕上げフレーム（７００）と、構成されることを特徴とするくさび型結合部が形成されたブロックとフレームを用いた壁体構造。
【請求項２】
前記上部フレーム（１００）と下部フレーム（１００）との間には、１つ以上の水平補強フレーム（６００）が上部フレーム（１００）及び下部フレーム（２００）と平行をなすように装着され、水平補強フレーム（６００）の上部面の全面に亘って二等辺三角形の形状のくさび型突起（６０１）が設けられ、水平補強フレーム（６００）の下部面の全面に亘って二等辺三角形の形状のくさび型凹溝（６０２）が設けられ、くさび型突起（６０１）及びくさび型凹溝（６０２）の角が上部フレーム（１００）及び下部フレーム（２００）の長手方向と平行をなし、組積されたブロック（４００）のくさび型上部突起（４０１）と水平補強フレーム（６００）のくさび型凹溝（６０２）との間に仕上げフレーム（７００）を挟持して固定するように構成されることを特徴とする、請求項１に記載のくさび型結合部が形成されたブロックとフレームを用いた壁体構造。
【請求項３】
両方の垂直フレーム（３００）の間に１つ以上の垂直中間フレーム（３１０）が設置され、垂直中間フレーム（３１０）の上部末端と下部末端は、各々堰とスラブの表面に連結されて結合され、水平補強フレーム（６００）の両側末端が垂直フレーム（３００）及び垂直中間フレーム（３１０）の側面と締結材で固定され、垂直中間フレーム（３１０）の両側面の全面に亘って二等辺三角形の形状のくさび型突起（３１１）が設けられ、くさび型突起（３１１）の角は柱の高さ方向と平行をなし、垂直中間フレーム（３１０）のくさび型突起（３１１）が組積されるブロック（４００）のくさび型側面凹溝（４０４）と密着して噛み合うように構成されることを特徴とする、請求項２に記載のくさび型結合部が形成されたブロックとフレームを用いた壁体構造。
【請求項４】
フレームとブロック（４００）及び中間ブロック（５００）の二等辺三角形の形状のくさび型突起と二等辺三角形の形状のくさび型凹溝は鈍角をなすように構成されることを特徴とする、請求項１〜３項のいずれか一項に記載のくさび型結合部が形成されたブロックとフレームを用いた壁体構造。
【請求項５】
ブロック（４００）及び中間ブロック（５００）は、結束面が水膨張性ゴム止水材で仕上げられたことを特徴とする、請求項１〜３項のいずれか一項に記載のくさび型結合部が形成されたブロックとフレームを用いた壁体構造。
【請求項６】
上部フレーム（１００）と下部フレーム（２００）及び垂直フレーム（３００）は、各々２重構造をなし、外側の上部フレーム（１００）と下部フレーム（２００）及び垂直フレーム（３００）は、柱の外側面の外方に密着し、内側の上部フレーム（１００）と下部フレーム（２００）及び垂直フレーム（３００）は、柱の外側面の奥側方向に離隔し、外側に設置される垂直フレーム（３００）は
【数４４】
2021502501.tif 000093
字形状で曲がっており、外郭柱の外方の角に垂直フレーム（３００）の曲がった内側面が密着するように装着され、外側と内側の上部フレーム（１００）と下部フレーム（２００）及び垂直フレーム（３００）の各々に挟持されて組積されるブロック（４００）の間の空間に断熱材パネル（８００）が挟持されるように構成されることを特徴とする、請求項１〜３項のいずれか一項に記載のくさび型結合部が形成されたブロックとフレームを用いた壁体構造。
【請求項７】
柱の外側又は内側の上部フレーム（１００）のくさび型凹溝（１０１）が２列に並んで配置され、
【数４５】
2021502501.tif 000094
の形状をなすＷ型凹溝（１０２）が設けられ、柱の外側又は内側の下部フレーム（２００）のくさび型突起（２０１）が各々２列に配置され、
【数４６】
2021502501.tif 000095
の形状をなすＷ型突起（２０２）が設けられ、柱の外側又は内側の垂直フレーム（３００）のくさび型突起（３０１）が各々２列に配置され、
【数４７】
2021502501.tif 000096
の形状をなすＷ型突起（３０２）が設けられる外側又は内側フレームが２重構造で構成されることを特徴とする、請求項６に記載のくさび型結合部が形成されたブロックとフレームを用いた壁体構造。
【請求項８】
上部面の全面に亘って二等辺三角形の形状のくさび型上部突起（４０１）が２列に配置され、
【数４８】
2021502501.tif 000097
の形状をなすＷ型上部突起（４１１）が設けられ、下部面の全面に亘って二等辺三角形の形状のくさび型下部凹溝（４０２）が２列に配置され、
【数４９】
2021502501.tif 000098
の形状をなすＷ型下部凹溝（４１２）が設けられ、一方の側面の全面に亘って二等辺三角形の形状のくさび型側面突起（４０３）が２列に配置され、
【数５０】
2021502501.tif 000099
の形状をなすＷ型側面突起（４１３）が設けられ、反対側の側面の全面に亘って二等辺三角形の形状のくさび型側面凹溝（４０４）が２列に配置され、
【数５１】
2021502501.tif 000100
の形状をなすＷ型側面凹溝（４１４）が設けられて成される２重ブロック（４１０）がくさび型上部突起（４１１）とくさび型下部凹溝（４１２）とが互いに嵌め込まれ、くさび型側面突起（４１３）とくさび型側面凹溝（４１４）とが互いに嵌め込まれながら、２重ブロック（４１０）の長手方向の側面の角が上下に隣接して積層される２重ブロック（４１０）の上部面又は下部面の中央に位置するようにジグザグに交差して２重構造の外側又は内側フレームに組積され、上部面の全面に亘って二等辺三角形の形状のくさび型上部突起（５０１）が２列に配置され、
【数５２】
2021502501.tif 000101
の形状をなすＷ型上部突起（５１１）が設けられ、下部面の全面に亘って二等辺三角形の形状のくさび型下部凹溝（５０１）が２列に配置され、
【数５３】
2021502501.tif 000102
の形状をなすＷ型下部凹溝（５１２）が設けられ、両側面の全面に亘って各々二等辺三角形の形状のくさび型側面凹溝（５０３）が２列に配置され、
【数５４】
2021502501.tif 000103
の形状をなすＷ型側面凹溝（５１３）が設けられてなされ、２重中間ブロック（５１０）が２重ブロック（４１０）の間に挟持されて２重ブロック（４１０）の組積方向を切り替えることによって、組積される２重ブロック（４１０）のＷ型側面凹溝（４１４）が垂直フレーム（３００）のＷ型突起（３０２）と結合するように構成されることを特徴とする、請求項７に記載のくさび型結合部が形成されたブロックとフレームを用いた壁体構造。
【請求項９】
先施工された建物の堰とスラブ及び柱にブロックを積み重ねて壁体を施工する組積工事において、
下部面の全面に亘って二等辺三角形の形状のくさび型凹溝（１０１）が設けられ、くさび型凹溝（１０１）の角が堰の長手方向と平行をなす上部フレーム（１００）を堰の表面に装着し、上部面の全面に亘って二等辺三角形の形状のくさび型突起（２０１）が設けられ、くさび型突起（２０１）の角がスラブの長手方向と平行をなす下部フレーム（２００）をスラブの表面に装着し、内側面の全面に亘って二等辺三角形の形状のくさび型突起（３０１）が設けられ、くさび型突起（３０１）の角が柱の高さ方向と平行をなす垂直フレーム（３００）を前記上部フレーム（１００）及び下部フレーム（２００）の末端と連結されるように柱の外側又は内側の表面に装着するフレーム設置工程（Ｓ１０）と、
ブロック（４００）の上部面の全面に亘って二等辺三角形の形状のくさび型上部突起（４０１）が設けられ、ブロック（４００）の下部面の全面に亘って二等辺三角形の形状のくさび型下部凹溝（４０２）が設けられ、ブロック（４００）の両側面の全面に亘って各々二等辺三角形の形状のくさび型側面突起（４０３）とくさび型側面凹溝（４０４）が設けられ、くさび型上部突起（４０１）とくさび型下部凹溝（４０２）とが互いに嵌め込まれ、くさび型側面突起（４０３）とくさび型側面凹溝（４０４）とが互いに嵌め込まれながら、ブロック（４００）の長手方向の側面の角が上下に隣接して積層されるブロック（４００）の上部面又は下部面の中央に位置するようにジグザグに交差して組積されるブロック（４００）を前記上部フレーム（１００）、下部フレーム（２００）及び垂直フレーム（３００）の間に挟持して組積する時、ブロック（４００）の組積方向を切り替えてブロック（４００）のくさび型側面凹溝（４０４）が両方の垂直フレーム（３００）のくさび型突起（３０１）と結合できるように上部面の全面に亘って二等辺三角形の形状のくさび型上部突起（５０１）が設けられ、下部面の全面に亘って二等辺三角形の形状のくさび型下部凹溝（５０１）が設けられ、両側面の全面に亘って各々二等辺三角形の形状のくさび型側面凹溝（５０３）が設けられた中間ブロック（５００）をブロック（４００）の間に挟持するブロック及び中間ブロック組積工程（Ｓ４０）と、
菱形の形状の断面を有し、互いに対称をなす２つのフレームボディー（７０１）から構成される仕上げフレーム（７００）のフレームボディー（７０１）の上部面を上部フレーム（１００）のくさび型凹溝（１０１）に密着して噛み合うようにし、フレームボディー（７０１）の下部面を最上段に組積されるブロック（４００）のくさび型上部突起（４０１）に密着して噛み合うようにした後、フレームボディー締結具（７０２）でフレームボディー（７０１）を固定する仕上げフレーム締結工程（Ｓ５０）；からなることを特徴とするくさび型結合部が形成されたブロックとフレームを用いた壁体の施工方法。
【請求項１０】
前記フレーム設置工程（Ｓ１０）は、上部フレーム（１００）と下部フレーム（２００）との間に上部面の全面に亘って二等辺三角形の形状のくさび型突起（６０１）が設けられ、下部面の全面に亘って二等辺三角形の形状のくさび型凹溝（６０２）が設けられる１つ以上の水平補強フレーム（６００）を上部フレーム（１００）及び下部フレーム（２００）と平行をなすように装着される水平補強フレーム設置工程（Ｓ１１）を含み、ブロック及び中間ブロック組積工程（Ｓ４０）で水平補強フレーム（６００）によって形成された各層に組積されたブロック（４００）のくさび型上部突起（４０１）と水平補強フレーム（６００）のくさび型凹溝（６０２）との間に仕上げフレーム（７００）を挟持して固定する水平補強仕上げフレーム締結工程（Ｓ５１）が含まれることを特徴とする、請求項９に記載のくさび型結合部が形成されたブロックとフレームを用いた壁体の施工方法。
【国際調査報告】
2021502501.tif 000104
2021502501.tif 000105
2021502501.tif 000106
2021502501.tif 000107